(57)【要約】【課題】  給水部を下に、操作部を上に配置できるようにした飲料抽出機の給水部のロック方法および装置を提供する。【解決手段】  飲料抽出機の上側に操作・表示部、その下側に格納部屋を設け、該格納部屋に台車を出入り可能に収納し、該台車にタンクを着脱可能に装填し、台車の給水口と機本体側のヒーター側の注湯管との間に可撓給水管を接続し、台車を格納部屋から引き出すために操作者の手を掛ける手掛けを持つように、前記台車の本体の前面から下方に前垂れ部を垂下し、その後方にバネの力を受けた第１操作部材を設け、該第１操作部材で動かされるロック片を台車に設け、該ロック片に係合・分離するストッパーを格納部屋に設け、台車を引き出しおよび装填するとき、台車の手掛けと共に第１操作部材を握って、ロック片をストッパーに対し係合・分離する。【選択図】        図９
2005192665.tif 000002
【特許請求の範囲】
【請求項１】
飲料抽出機の上側に操作・表示部、その下側に格納部屋を設け、該格納部屋に台車を出入り可能に収納し、該台車にタンクを着脱可能に装填し、台車の給水口と機本体側のヒーター側の注湯管との間に可撓給水管を接続し、
台車を格納部屋から引き出すために操作者の手を掛ける手掛けを持つように、前記台車の本体の前面から下方に前垂れ部を垂下し、その後方にバネの力を受けた第１操作部材を設け、該第１操作部材で動かされるロック片を台車に設け、該ロック片に係合・分離するストッパーを格納部屋に設け、台車を引き出しおよび装填するとき、台車の手掛けと共に第１操作部材を握って、ロック片をストッパーに対し係合・分離することを特徴とする飲料抽出機における給水部のロック方法。
【請求項２】
飲料抽出機の上側に操作・表示部、その下側に格納部屋を設け、前記操作・表示部の側方に抽出部を設け、前記格納部屋に台車を出入り可能に収納し、該台車にタンクを着脱可能に装填し、台車の給水口と機本体に設けたヒーター側の注湯管との間に可撓給水管を接続し、前記注湯管を前記抽出部に導き、かつ、前記可撓給水管とヒーターとの間に水逃し管を接続して前記抽出部に導き、
台車を格納部屋から引き出すために操作者の手を掛ける手掛けを持つように、前記台車の本体の前面から下方に前垂れ部を垂下し、その後方にバネの力を受けた第１操作部材を設け、該第１操作部材で動かされるロック片を台車に設け、該ロック片に係合・分離するストッパーを格納部屋に設け、台車を引き出しおよび装填するとき、台車の手掛けと共に第１操作部材を握って、ロック片をストッパーに対し係合・分離することを特徴とする飲料抽出機における給水部のロック方法。
【請求項３】
飲料抽出機の上側に設けられた操作・表示部と、その下側に設けられた格納部屋と、
格納部屋に出入り可能に収納され、手前側に車輪を持った台車と、
該台車にタンクを着脱可能に装填されたタンクと、
前記台車の給水口と機本体に設けたヒーター側の注湯管との間に接続された可撓給水管と、車の荷重を格納部屋の底板に伝えるよう台車の下面後方に設けられ、滑り性に秀れた材料からなる溝形鋼状片からなる台車側ガイドと、
台車側ガイドに摺動自在に係合するよう格納部屋の底板に設けられ、出入り方向に長い格納部屋側ガイドと、
該格納部屋側ガイドの前端から前方へＴ字状に張り出し、台車が最前位置で前記台車側ガイドが当接するようにしたストッパーとを含み、
台車を格納部屋から引き出すために操作者の手を掛ける手掛けを持つように、前記台車の本体の前面から下方に前垂れ部を垂下し、その後方にバネの力を受けた第１操作部材を前後に摺動自在にを設け、該第１操作部材で動かされる第２操作部材を上下に摺動自在に設け、ロック片を第２操作部材に設け、該ロック片を前記ストッパーに係合・分離するに構成し、台車を引き出しおよび装填するとき、台車の手掛けと共に第１操作部材を握って、ロック片をストッパーに対し係合・分離するようにしたことを特徴とする飲料抽出機における給水部のロック装置。
【請求項４】
飲料抽出機の上側に設けられた操作・表示部と、その下側に設けられた格納部屋と、
格納部屋に出入り可能に収納され、手前側に車輪を持った台車と、
該台車にタンクを着脱可能に装填されたタンクと、
前記台車の給水口と機本体に設けたヒーター側の注湯管との間に接続された可撓給水管と、該可撓給水管とヒーターとの間に接続されて、前記抽出部に導かれた水逃し管と、車の荷重を格納部屋の底板に伝えるよう台車の下面後方に設けられ、滑り性に秀れた材料からなる溝形鋼状片からなる台車側ガイドと、
台車側ガイドに摺動自在に係合するよう格納部屋の底板に設けられ、出入り方向に長い格納部屋側ガイドと、
該格納部屋側ガイドの前端から前方へＴ字状に張り出し、台車が最前位置で前記台車側ガイドが当接するようにしたストッパーとを含み、
台車を格納部屋から引き出すために操作者の手を掛ける手掛けを持つように、前記台車の本体の前面から下方に前垂れ部を垂下し、その後方にバネの力を受けた第１操作部材を前後に摺動自在にを設け、該第１操作部材で動かされる第２操作部材を上下に摺動自在に設け、ロック片を第２操作部材に設け、該ロック片を前記ストッパーに係合・分離するに構成し、台車を引き出しおよび装填するとき、台車の手掛けと共に第１操作部材を握って、ロック片をストッパーに対し係合・分離するようにしたことを特徴とする飲料抽出機における給水部のロック装置。
【請求項５】
前記第１操作部材は、
ガイド筒に前後に摺動自在に嵌合した溝型鋼状の板の水平部と、
水平部の前端から前下方に延びた傾斜部と、
傾斜部の前端から下方に延びた垂下部とを持ち、
前記第２操作部材は、
前後に開口した矩形筒体の本体と、
本体上片の後端から前下方に延びた平板の傾斜板と、
本体下片の下面から下方に突出したロック片と、
本体上片と台車本体の下面との間に介在されたバネとを含むことを特徴とする請求項３または４記載の料抽出機における給水部のロック装置。
【発明の詳細な説明】
【技術分野】
【０００１】
本発明は、飲料抽出機における給水部のロック方法および装置に関するものである。
【背景技術】
【０００２】
従来の飲料抽出機においては、給水タンクを収容する部屋の下側に電気・電子操作部が設けられていた。
【発明の開示】
【発明が解決しようとする課題】
【０００３】
従って、給水タンクの着脱操作や給水配管などからの水漏れ現象により、電気・電子操作部に悪影響を及ぼす恐れがあった。また、操作部が下部にあったので、使用者の抽出機の運転操作がしにくかった。
本発明は上記課題を解決し、給水部を下に、操作部を上に配置できるようにした飲料抽出機において、給水部のロック方法および装置を提供する。
【課題を解決するための手段】
【０００４】
本発明方法の第１は、飲料抽出機の上側に操作・表示部、その下側に格納部屋を設け、該格納部屋に台車を出入り可能に収納し、該台車にタンクを着脱可能に装填し、台車の給水口と機本体側のヒーター側の注湯管との間に可撓給水管を接続し、台車を格納部屋から引き出すために操作者の手を掛ける手掛けを持つように、前記台車の本体の前面から下方に前垂れ部を垂下し、その後方にバネの力を受けた第１操作部材を設け、該第１操作部材で動かされるロック片を台車に設け、該ロック片に係合・分離するストッパーを格納部屋に設け、台車を引き出しおよび装填するとき、台車の手掛けと共に第１操作部材を握って、ロック片をストッパーに対し係合・分離することを特徴としている。
【０００５】
本発明方法の第２は、飲料抽出機の上側に操作・表示部、その下側に格納部屋を設け、前記操作・表示部の側方に抽出部を設け、前記格納部屋に台車を出入り可能に収納し、該台車にタンクを着脱可能に装填し、台車の給水口と機本体に設けたヒーター側の注湯管との間に可撓給水管を接続し、前記注湯管を前記抽出部に導き、かつ、前記可撓給水管とヒーターとの間に水逃し管を接続して前記抽出部に導き、台車を格納部屋から引き出すために操作者の手を掛ける手掛けを持つように、前記台車の本体の前面から下方に前垂れ部を垂下し、その後方にバネの力を受けた第１操作部材を設け、該第１操作部材で動かされるロック片を台車に設け、該ロック片に係合・分離するストッパーを格納部屋に設け、台車を引き出しおよび装填するとき、台車の手掛けと共に第１操作部材を握って、ロック片をストッパーに対し係合・分離することを特徴としている。
【０００６】
本発明装置の第１は、飲料抽出機の上側に設けられた操作・表示部と、その下側に設けられた格納部屋と、格納部屋に出入り可能に収納され、手前側に車輪を持った台車と、該台車にタンクを着脱可能に装填されたタンクと、前記台車の給水口と機本体に設けたヒーター側の注湯管との間に接続された可撓給水管と、車の荷重を格納部屋の底板に伝えるよう台車の下面後方に設けられ、滑り性に秀れた材料からなる溝形鋼状片からなる台車側ガイドと、台車側ガイドに摺動自在に係合するよう格納部屋の底板に設けられ、出入り方向に長い格納部屋側ガイドと、該格納部屋側ガイドの前端から前方へＴ字状に張り出し、台車が最前位置で前記台車側ガイドが当接するようにしたストッパーとを含み、台車を格納部屋から引き出すために操作者の手を掛ける手掛けを持つように、前記台車の本体の前面から下方に前垂れ部を垂下し、その後方にバネの力を受けた第１操作部材を前後に摺動自在にを設け、該第１操作部材で動かされる第２操作部材を上下に摺動自在に設け、ロック片を第２操作部材に設け、該ロック片を前記ストッパーに係合・分離するに構成し、台車を引き出しおよび装填するとき、台車の手掛けと共に第１操作部材を握って、ロック片をストッパーに対し係合・分離するようにしたことを特徴としている。
【０００７】
本発明装置の第２は、飲料抽出機の上側に設けられた操作・表示部と、その下側に設けられた格納部屋と、格納部屋に出入り可能に収納され、手前側に車輪を持った台車と、該台車にタンクを着脱可能に装填されたタンクと、前記台車の給水口と機本体に設けたヒーター側の注湯管との間に接続された可撓給水管と、該可撓給水管とヒーターとの間に接続されて、前記抽出部に導かれた水逃し管と、車の荷重を格納部屋の底板に伝えるよう台車の下面後方に設けられ、滑り性に秀れた材料からなる溝形鋼状片からなる台車側ガイドと、台車側ガイドに摺動自在に係合するよう格納部屋の底板に設けられ、出入り方向に長い格納部屋側ガイドと、該格納部屋側ガイドの前端から前方へＴ字状に張り出し、台車が最前位置で前記台車側ガイドが当接するようにしたストッパーとを含み、台車を格納部屋から引き出すために操作者の手を掛ける手掛けを持つように、前記台車の本体の前面から下方に前垂れ部を垂下し、その後方にバネの力を受けた第１操作部材を前後に摺動自在にを設け、該第１操作部材で動かされる第２操作部材を上下に摺動自在に設け、ロック片を第２操作部材に設け、該ロック片を前記ストッパーに係合・分離するに構成し、台車を引き出しおよび装填するとき、台車の手掛けと共に第１操作部材を握って、ロック片をストッパーに対し係合・分離するようにしたことを特徴としている。
【０００８】
本発明装置の第３は、装置の第１または第２を加え、前記第１操作部材は、ガイド筒に前後に摺動自在に嵌合した溝型鋼状の板の水平部と、水平部の前端から前下方に延びた傾斜部と、傾斜部の前端から下方に延びた垂下部とを持ち、前記第２操作部材は、前後に開口した矩形筒体の本体と、本体上片の後端から前下方に延びた平板の傾斜板と、本体下片の下面から下方に突出したロック片と、本体上片と台車本体の下面との間に介在されたバネとを含むことを特徴としている。
【発明の効果】
【０００９】
本発明では操作部が上部にあるので、下部にある給水タンクの着脱操作や給水配管などからの水漏れがあっても、電気・電子操作部に悪影響を及ぼすことはない。また、操作部が見やすくなり、使用者の抽出機の運転操作が楽になった。しかも、台車を引き出しおよび装填するとき、台車の手掛けと共に第１操作部材を握って押し引きするだけで、ロック片をストッパーに対し係合・分離することができる。
【発明を実施するための最良の形態】
【００１０】
以下に本発明の実施態様を図面に示す一実施例にもとづき説明する。図１において、飲料抽出機は左上側の操作部・表示部Ａ１、その下側にある給水部Ａ２、右上側の抽出部Ａ３、その下側にあるポット側面案内壁Ａ４、その下側の台座Ａ５からなる。台座に保温ポットＢが載置される。
【００１１】
図２において、給水部Ａ２は格納部屋２０にタンクＴと台車１０が収納されてなる。
先ず給水装置（給水部）を説明する。その大要は、前記格納部屋２０に台車１０を出入り可能に収納し、該台車にタンクＴを着脱可能に装填している。台車の給水口と機本体に設けたヒーター２側の注湯管３との間に可撓給水管１を接続する。前記注湯管３を前記抽出部Ａ３に導き、かつ、前記可撓給水管１とヒーター２との間に水逃し管４を接続して前記抽出部Ａ３に導く（これらの配管の詳細は図８で後述）。
【００１２】
図３，４に示す台車１０において、上側開口した矩形箱状本体１１はタンクＴが着脱可能となった凹所１１ａを持ち、底にはタンク底の弁を開く作動片１１ｃを持つ給水口１１ｂがある。本体の前面から下方に垂下した前垂れ部１２には、台車１０を格納部屋２０から引き出すために操作者の手を掛ける手掛け１２ａが設けられる。その直後にロック部（ロック装置）３０が設けられる。
【００１３】
車体部１３は、前垂れ部１２付近から後方に至るまで水平に展延し、左右端に下方への屈曲部がある床板１３ａを持つ。床板１３ａの前部下側にゴム製前車輪１４が設けられ、抽出機の設置面を転動可能である。床板１３ａの後部下側に台車側ガイド１５が設けられ、滑り性に秀れた合成樹脂材料からなる溝形鋼状片からなる。
【００１４】
台車本体１１の下面に天井板１６取り付けられ、本体の後方に至るまで水平に展延し、その後端に後車輪１７が設けられる。側板１８は天井板１６と床板１３ａの左右端間に取り付けられて空間を構成し、この空間には、台車１０が格納されたとき、後記する上棚板２４，下棚板２５およびヒーター２が収容される。
【００１５】
図５，６，７において、格納部屋２０は次のように構成される。
本体側ガイド２１は機底２６の上面に設けられ、溝型鋼状の凸条を呈する。ストッパー２２は、ガイド２１の前端から前方へＴ字状に張り出し、台車が最前位置で前記台車側ガイド１５が当接するようにされている。サイドガイド２３は部屋左右側壁２７に設けられ、後車輪１７を受けるように前後に長い溝型鋼状の凹条である。
【００１６】
上棚板２４は、部屋左右側壁間に取り付けられ、部屋後部から前方に部屋前部で間隔を存した位置までほぼ水平に展延し、ほぼ中央から前部において左右端に間隔が残されている。下棚板２５は、上棚板の下側で、本体側ガイド２０から間隔を存して上側で、部屋左右側壁間に取り付けられ、部屋後部から前方に部屋前部で間隔を存した位置までほぼ水平に展延し、前端で上方に屈曲された直立板部を持ち、ほぼ中央から前部において左右端に間隔が残されている。
【００１７】
下棚板２５の上には、ヒーター２およびこれに接続される前記管１，３の一部分が配管される。即ち図８に示すように、タンクＴから伸びた可撓給水管１が上棚板２４の上に載り、そこから抽出部側（図８の下方）に方向転換し、第１逆止弁６ａを経て、水位取出管５が接続されて上方に導かれる。そして、この管５の内側に水位検出用のフロート（図示省略）が収容されている。次いで、第２逆止弁６ｂを過ぎた部分に、水逃し管４が接続されて上方に導かれ、抽出部の被抽出部チャンバー（図示省略）の上方に開口する。
【００１８】
また、第２逆止弁６ｂを過ぎた部分に注湯管３が接続され、上棚板２４の下側に回り込んで下棚板２５の上で、ヒーター２に接続される。そして、そこから抽出部側に方向転換し、更に、上方に導かれて、抽出部に開口する。ここで、前記第１，第２逆止弁６ａ，６ｂは、タンクＴから水が出て行く方向に開，逆方向に閉の状態である。また、前記水逃し管４は、注湯管３が詰まったりしたときに、圧力上昇により配管の破損事故などを未然に防ぐ。
【００１９】
以上において、給水装置の使用（作動）状態を説明する。タンクＴの台車１０への脱着は次のようになされる。台車の手掛け１２ａに使用者の手が掛けられ、タンクＴを載せた台車が前方へ引き出される。前車輪１４はゴム製であるから、左右に滑ることなくスムーズに静かに抽出機設置面を転動し、台車側ガイド片１５が機本体側のガイド２１の上を、上下左右に位置規制されながら滑って行く。後車輪１７は部屋のサイドガイド２３上を転動して行き、台車のスムーズな動きに寄与する。そして、台車の最前位置ではガイド片１５がストッパー２２に当たり、部屋からの抜け出しが阻止される。このとき、後車輪１７はサイドガイド２３の前端付近に位置する（図５の仮想線示）。
【００２０】
この状態では、タンクＴは抽出機Ａ前面よりも僅かに前方に位置するので、タンクＴは使用者により上方に抜き出される。そして、新しいタンクが台車本体の凹所１１ａに挿入される。このとき、タンク下部の弁は台車側の作動片１１ｃに係合して弁は開放され、可撓給水管１に水が充満する。
【００２１】
次に、タンクＴ、台車１０を格納部屋２０に入れるとき、手掛け１２ａを握って台車を押し入れて行くと、台車側ガイド片１５がストッパー２２から離れて再び本体側ガイド２１の上を滑って行き、台車の前垂れ部１２の下部がストッパー２２の前端に当たって位置決めされる。
【００２２】
さて次に図８において、ロック部３０は次のように構成される。
支持板３３は、台車１０の左右側壁間に上下に展延して取り付けられ、その左右端にガイド孔３４が設けられる。ガイド筒３５は、支持板３３の上部に設けられ、中心軸線を前後に向けた矩形筒である。
【００２３】
第１操作部材３１は次のように構成される。水平部３１ａは、ガイド筒３５に前後に摺動自在に嵌合した溝型鋼状の板である。傾斜部３１ｂは、水平部３１ａの前端から前下方に延びた板体である。垂下部３１ｃは、傾斜部３１ｂの前端から下方に延びた板体である。弾性可撓部３１ｄは、水平部３１ａの後半部において、前後に向けた中心軸線を挟む細長部がスリットで分離されており、その後端に上方に向いた抜止め凸部３１ｅが設けられる。
【００２４】
第２操作部材３２は次のように構成される。本体３２ａは、前後に開口した矩形筒体である。傾斜部３２ｂは、本体３２ａの上片の後端から前下方に延びた平板である。ロック片３２ｃは、本体３２ａの下片の下面から下方に突出している。バネ３２ｄは、本体３２ａの上片と台車本体１１の下面との間に介在されている。ガイド片３２ｅは、本体３２ａの左右片の後端から後方に突出し、支持板３３のガイド孔３４に上方に摺動自在に貫通する。
【００２５】
次に、ロック装置（ロック部）３０の使用（作動）状態を説明する。
台車１０を引き出すとき、台車の手掛け１２ａを経て第１操作部材３１の垂下部３１ｃと共に握ると、水平部３１ａがガイド筒３５を案内として前方に移動する。このとき、傾斜部３１ｂが第２操作部３２の傾斜部３２ｂを押し上げながら最前位置に至り、抜止め凸部３１ｅがガイド筒３５の後端に当たり、抜止めされる。
【００２６】
第２操作部材３２はバネ３２ｄを押し縮めながら上昇し、ガイド片３２ｅがガイド孔３４内を上昇して孔の上縁で止まり、最上位置が規制される。このとき、ロック片３２ｃが格納部屋２０のストッパー２２よりも上位となり、ロック解除となる。続いてそのまま台車を前方に引けば、台車１０は引き出される。台車が最前位置で、手掛け１２ａ、第１操作部材３１の垂下部３１ｃから手を離すと、第２操作部材３２はバネ３２ｄにより押し下げられ、両部材の傾斜部３１ｂ，３２ｂにより、第１操作部材３１は後方に押しやられ、第１操作部材３１が第２操作部材３２より後方に離れるので、第２操作部材３２はバネ３２ｄにより押し下げられて最下位置に戻る。
【００２７】
台車１０を格納部屋２０に入れてロックするときも、前記と同様に手掛け１２ａと第１操作部材３１の垂下部３１ｃを握って、第２操作部材３２を最上位置に保って押し入れ、台車の最後位置で手を離し、第２操作部材３２をバネ３１ｄで最下位置に戻してロックする。
【００２８】
本発明は前記した実施例や実施態様に限定されず、特許請求の範囲および範囲を逸脱せずに種々の変形を含む。
【産業上の利用可能性】
【００２９】
本発明の方法および装置は、飲料抽出機における給水部のロックに利用される。
【図面の簡単な説明】
【００３０】
【図１】本発明の一実施例の全体正面図である。
【図２】図１のＹ２−Ｙ２拡大断面図である。
【図３】図２の要部（台車）の断面図である。
【図４】図３のＹ４−Ｙ４断面図である。
【図５】図２の要部（格納部屋）の断面図である。
【図６】図５のＹ６−Ｙ６断面図である。
【図７】図５のＹ７−Ｙ７断面図である。
【図８】図７に対応した配管の説明図である。
【図９】図２に対応したロック装置の拡大分解斜視図である。
【符号の説明】
【００３１】
Ａ  飲料抽出機
Ａ１  操作部
Ａ２  給水部
Ａ３  抽出部
Ａ４  ポット側面案内壁
Ａ５  台座
Ｂ  保温ポット
Ｔ  タンク
１  可撓給水管
２  ヒーター
３  注湯管
４  水逃し管
５  水位取出管
６ａ  第１逆止弁
６ｂ  第２逆止弁
１０  台車
１１  台車本体
１１ａ  凹所
１１ｂ  給水口
１１ｃ  作動片
１２  前垂部
１２ａ  手掛け
１３  車体部
１３ａ  床板
１４  前車輪
１５  台車側ガイド
１６  天井板
１７  後車輪
１８側板
２０  格納部屋
２１  本体側ガイド
２２  ストッパー
２３  サイドガイド
２４  上棚板
２５  下棚板
２６  機底
２７  側壁
３０  ロック装置（ロック部）
３１  第１操作部材
３１ａ  水平部
３１ｂ  傾斜部
３１ｃ  垂下部
３１ｄ  弾性可撓部
３１ｅ  抜止め凸部
３２  第２操作部材
３２ａ  本体
３２ｂ  傾斜部
３２ｃ  ロック片
３２ｄ  バネ
３２ｅ  ガイド片
３３  支持板
３４  ガイド孔
３５  ガイド筒
【図１】
2005192665.tif 000003
【図２】
2005192665.tif 000004
【図３】
2005192665.tif 000005
【図４】
2005192665.tif 000006
【図５】
2005192665.tif 000007
【図６】
2005192665.tif 000008
【図７】
2005192665.tif 000009
【図８】
2005192665.tif 000010
【図９】
2005192665.tif 000011